(57)【要約】【課題】延縄用の浮玉に取り付けることにより、遠方からでも或いは夜間やシケの際にも幹縄の位置を容易に確認することができ、しかも耐久性に優れ、過酷な使用条件下でも腐食や損傷を生じることなく長期間に亘って使用することができる標識体を提供する。【解決手段】延縄の幹縄を所定の水深に保持するための浮玉に取り付けられ、幹縄の位置を確認するための標識体であって、プラスチックの一体成形体からなる本体と、この本体に取り付けられる反射シートとからなり、前記本体は、筒状部と、この筒状部の下端に連設されたコーン形状の座部とからなり、前記反射シートが前記筒状部上下方向の１箇所以上の周方向に固着された構造を有し、その座部を浮玉の上部面に着座させた状態で、浮玉の外側を覆う網体等により浮玉に固定される。【選択図】　　　図１
2004141031.tif 000002
【特許請求の範囲】
【請求項１】
延縄の幹縄を所定の水深に保持するための浮玉に取り付けられ、幹縄の位置を確認するための標識体であって、
プラスチックの一体成形体からなる本体と、該本体に取り付けられる反射シートとからなり、前記本体は、筒状部と、該筒状部の下端に連設されたコーン形状の座部とからなり、前記反射シートは、前記筒状部上下方向の１箇所以上の周方向に固着されることを特徴とする延縄用の標識体。
【請求項２】
反射シートが、立方体のコーナ部を構成する３面からなる形状をを有し且つ前記コーナ部の角部を頂部とする立方体コーナ形状部が互いに近接して多数形成された反射面を有する反射シートであることを特徴とする請求項１に記載の延縄用の標識体。
【請求項３】
筒状部上下方向の２箇所の周方向に反射シートが固着されることを特徴とする請求項１又は２に記載の延縄用の標識体。
【発明の詳細な説明】
【０００１】
【発明の属する技術分野】
本発明は、延縄の幹縄を所定の水深に保持するための浮玉に取り付けられ、幹縄の位置を確認するために用いられる標識体に関する。
【０００２】
【従来の技術】
マグロ延縄漁に用いられる延縄は、全長が十数ｋｍにもおよぶ幹縄に数十ｍ程度の間隔で枝縄を取り付け、この枝縄にテグスやワイヤなどを介して釣針を取り付けたものであり、また、幹縄には適当な間隔で吊り索を介して浮玉が取り付けられ、この浮玉で幹縄を所定の水深に保持している。
【０００３】
【発明が解決しようとする課題】
延縄の幹縄は、他の漁船の延縄と交差する際に切れたり、或いは延縄どうしの交錯を回避するために意図的に切断することがあるが、このように幹縄が途中で切られた場合、切り離された幹縄部分を海面に浮遊する浮玉を頼りに見つけ出す必要がある。
しかし、幹縄の全長は十数ｋｍにもおよぶため、漁船から何ｋｍも離れた位置で幹縄が切られたような場合には、切り離された幹縄部分を浮玉だけを頼りに見つけ出すことは容易ではない。特に、夜間やシケの際には、切り離された幹縄部分が比較的近くにある場合でも、これを見つけ出すことは相当な困難を伴う。
【０００４】
また、幹縄は海流などの影響で必ずしも船体から直線的に延びているとは限らない。そして、このような幹縄を船上に巻き上げる場合、幹縄の延びている方向に対して船体の向きを一定の状態に保つ必要があるが、特に夜間やシケの際には、海面に浮かぶ浮玉だけでは幹縄の延びている方向を正確に視認できない場合がある。
したがって本発明の目的は、延縄用の浮玉に取り付けることにより、遠方からでも或いは夜間やシケの際にも幹縄の位置を容易に確認することができ、しかも耐久性に優れ、過酷な使用条件下でも腐食や損傷を生じることなく長期間に亘って使用することができる標識体を提供することにある。
【０００５】
【課題を解決するための手段】
上記の目的を達成するため、本発明の標識体は以下のような特徴を有する。
［１］　延縄の幹縄を所定の水深に保持するための浮玉に取り付けられ、幹縄の位置を確認するための標識体であって、プラスチックの一体成形体からなる本体と、該本体に取り付けられる反射シートとからなり、前記本体は、筒状部と、該筒状部の下端に連設されたコーン形状の座部とからなり、前記反射シートは、前記筒状部上下方向の１箇所以上の周方向に固着されることを特徴とする延縄用の標識体。
【０００６】
［２］　上記［１］の標識体において、反射シートが、立方体のコーナ部を構成する３面からなる形状を有し且つ前記コーナ部の角部を頂部とする立方体コーナ形状部が互いに近接して多数形成された反射面を有する反射シートであることを特徴とする延縄用の標識体。
［３］　上記［１］又は［２］の標識体において、筒状部上下方向の２箇所の周方向に反射シートが固着されることを特徴とする延縄用の標識体。
【０００７】
【発明の実施の形態】
図１〜図６は本発明の標識体の一実施形態を示すもので、図１は斜視図、図２は正面図、図３は平面図、図４は底面図、図５は縦断面図、図６は標識体を浮玉に取付固定した状態を示す斜視図である。
標識体は、プラスチックの一体成形体からなる本体１と、この本体１に固着される反射シート４ａ，４ｂとからなっている。
【０００８】
前記本体１は、筒状部２とこの筒状部２の下端（一端）に連設されたコーン形状の座部３とからなり、中央が中空状に構成されている。
前記筒状部２の上下方向２箇所の周方向には、広幅の浅い溝部２０ａ，２０ｂが隣接して形成され、この各溝部２０ａ，２０ｂ内の周方向に前記反射シート４ａ，４ｂが貼り付けられている。このように溝部２０ａ，２０ｂを設け、この溝部内の周方向に反射シート４ａ，４ｂを貼り付けるのは、反射シート４ａ，４ｂの両側端部が何かに接触して剥離することを防止するためである。
【０００９】
また、反射シート４を筒状部２の上下方向で複数に分割（２分割）したのは、反射シート４は内部の腐食や剥離等の損傷を生じやすいので、交換する際の経済性を考慮したものである。
筒状部２に対する反射シート４の取付（巻付）位置や、反射シート４の数（巻付数）等は特に限定されないが、遠方からの視認性を高めるには、少なくとも、筒状部２の上下方向中央部よりも上方位置に取り付けることが好ましい。本実施形態では、筒状部２の上下方向中央部よりも上方位置と下方位置に、それぞれ反射シート４ａ，４ｂを取り付けている。
【００１０】
前記座部３は、本体１を浮玉の上部面（球面）に着座させるための部位であり、その底部面３０は、浮玉の上部に密着して着座できるように凹状の球面ないし湾曲面に構成されている。
また、前記座部３の筒状部２側の端部の周方向には環状段部３１が形成され、この環状段部３１の周側面３１０は略垂直面に構成されている。この略垂直面状の周側面３１０は、後述するように標識体を浮玉に固定する際、座部３を覆うように編み込まれる網体Ｃの端部の位置決め部（押え）となる。
【００１１】
前記反射シート４の種類は特に限定されないが、特に反射性能の面からは、図７に示すような構造のものを用いることが好ましい。この反射シート４は、立方体のコーナ部を構成する３面からなる形状を有し且つ前記コーナ部の角部を頂部６０とする立方体コーナ形状部６（小突起）が互いに近接して多数形成された反射面５を有するものである。なお、前記立方体コーナ形状部６は、例えば、高さが０．１ｍｍ前後で、隣接する立方体コーナ形状部６の頂部６０間の間隔が０．２ｍｍ前後の非常に微小なものであり、このような微小な立方体コーナ形状部６が近接して多数配置されることにより、高い反射性能が得られるものである。
【００１２】
図７の実施形態では、樹脂製の基体シート７の片面に前記立方体コーナ形状部６（樹脂製）が互いに近接して多数配置され、それらの表面にＡｌ、Ａｇ、Ｃｕ等による金属被覆層８が設けられることにより、反射面５が形成されている。また、反射面５の上層には反射面を腐食などから保護するための樹脂被覆層９が設けられている。このような反射シート４は、通常、基体シート７の他面側（裏面）に接着剤層（粘着樹脂層）が設けられ、その接着剤層を介して前記筒状部２に貼り付けられる。
以上のような構造の反射シート４は反射性能が特に優れており、本発明が対象とする標識体に非常に好適なものである。また、この反射シート４を取り付けた標識体が波により揺動すると、その反射光は特有の残像効果を示し、この点でも一般の反射シートに較べて高い視認性が得られる。
【００１３】
図６は、本発明の標識体Ａを浮玉Ｂに取付固定した状態を示している。
浮玉Ｂは樹脂又はガラス等からなる略球形の中空体であり、一般に外形状に沿って縄を袋状に編んだ網体Ｃで覆われ、この網体Ｃに幹縄に連結するための吊り索を係止するようになっている。本発明の標識体Ａは、その座部３の底部面３０を浮玉Ｂの上部面に着座させた状態で、前記網体Ｃを構成する縄を前記座部３の全体を覆うようにその環状段部３１の位置まで編み込むことにより、浮玉Ｂの上部に固定される。
【００１４】
本発明の標識体Ａは、海面に浮遊する浮玉Ｂの上部に突設され、その反射シート４が太陽光やサーチライト等からの投射光を反射するので、遠方からでも、また夜間やシケの際にも容易に視認することができる。
また、本発明の標識体は、本体１がプラスチックの一体成形体であるため腐食を生じることがなく、また、破損なども生じにくい利点がある。
【００１５】
【発明の効果】
以上述べた本発明の延縄用の標識体は、浮玉に取り付けることにより、遠方からでも或いは夜間やシケの際にも幹縄の位置を容易に確認することができ、しかも耐久性に優れ、過酷な使用条件下でも腐食や損傷を生じることなく長期間に亘って使用することができる利点がある。
【図面の簡単な説明】
【図１】本発明の標識体の一実施形態を示す斜視図
【図２】図１の実施形態の標識体の正面図
【図３】図１の実施形態の標識体の平面図
【図４】図１の実施形態の標識体の底面図
【図５】図１の実施形態の標識体の縦断面図
【図６】図１の実施形態の標識体を浮玉に取り付けた状態を示す斜視図
【図７】反射シートの一例を示す断面図
【符号の説明】
１…本体、２…筒状部、３…座部、４ａ，４ｂ…反射シート、５…反射面、６…立方体コーナ形状部、７…基体シート、８…金属被覆層、９…樹脂被覆層、２０ａ，２０ｂ…溝部、３０…底部面、３１…環状段部、６０…頂部、３１０…周側面、Ａ…標識体、Ｂ…浮玉、Ｃ…網体
【図１】
2004141031.tif 000003
【図２】
2004141031.tif 000004
【図３】
2004141031.tif 000005
【図４】
2004141031.tif 000006
【図５】
2004141031.tif 000007
【図６】
2004141031.tif 000008
【図７】
2004141031.tif 000009